(57)【要約】  フレーム（１０１）と、膜（１０３）と、駆動ユニット（１０５）が設けられたスピーカである。膜は、フレームから懸架される外周縁（１０４ａ）と内周縁（１０４ｂ）とを有する。駆動ユニットは、フレームに固定される固定部（１０６ａ）と、膜の内周縁に固定されるコイル支持体（１０８ｂ）が設けられた並進運動可能部（１０６ｂ）を有する。膜は、円周方向に見たときに、膜の内周縁から外周縁の間に半径方向に延在するひだのパターンを有する膜体（１０４）を有する。ひだは、縁から、内周縁と外周縁との間にある領域（１０４Ａ）に向かって増加する深度（ｄ）を有する。この領域内において、ひだにはフェース部（２０４Ｃ）が設けられ、このフェース部にスピーカのスパイダ（１１１）が固定される。スピーカは、小さい高さと膜の大きいストロークを組み合わせる。
2007502044.tif 000002
【特許請求の範囲】
【請求項１】
フレームと、
膜と、
駆動ユニットと、
が設けられ、
前記膜は、前記フレームから懸架される外周縁と、内周縁とを有し、
前記駆動ユニットは、前記フレームに固定される固定部と、前記膜の前記内周縁に固定される並進運動可能部を有するスピーカであって、
前記膜は、円周方向に見たときに、前記膜の内周縁から前記外周縁の間に半径方向に延在するひだのパターンを有する膜体を有し、
前記ひだは、前記膜体から前記駆動ユニットに向かって前記膜に対して実質的に垂直な方向に見たときに、前記縁から、前記内周縁と前記外周縁との間にある領域に向かって増加する深度を有し、
前記領域内において、前記ひだにはフェース部が設けられ、
前記フレームと前記フェース部に固定される懸架手段が設けられるスピーカ。
【請求項２】
前記内周縁及び前記外周縁は、実質的に平らな縁である請求項１記載のスピーカ。
【請求項３】
前記膜の前記内周縁及び前記外周縁は、実質的に一致する面又はゾーン内に位置付けられる請求項１又は２記載のスピーカ。
【請求項４】
前記膜体は、僅かに凹状である凹状体であり、
前記実質的に平らな内周縁及び前記実質的に平らな外周縁は、平行面内に位置付けられる請求項２記載のスピーカ。
【請求項５】
前記懸架手段は、スパイダである請求項１乃至４のうちいずれか一項記載のスピーカ。
【請求項６】
前記膜の前記実質的に平らな内周縁は、前記駆動ユニットの前記並進運動可能部のコイル支持体に固定される請求項２又は３記載のスピーカ。
【請求項７】
前記ひだは、前記膜体から測定すると、請求項１に記載した前記領域から前記膜の前記実質的に平らな外周縁に向かって滑らかに減少する深度を有する請求項２又は３記載のスピーカ。
【請求項８】
前記ひだは、前記膜体から測定すると、請求項１に記載した前記領域から前記膜の前記実質的に平らな内周縁に向かって滑らかに減少する深度を有する請求項２又は３記載のスピーカ。
【請求項９】
前記ひだのパターンは、円周方向及び／又は半径方向に見たときに、規則的なパターンである請求項１記載のスピーカ。
【請求項１０】
請求項１乃至９のうちいずれか一項に開示される膜の特徴を示し、従って、請求項１乃至９のうちいずれか一項記載のスピーカにおける使用の為に構成され且つ該スピーカにおける使用を明らかに意図する膜。
【発明の詳細な説明】
【技術分野】
【０００１】
本発明は、フレーム、膜、及び駆動ユニットが設けられたスピーカに係る。
【背景技術】
【０００２】
このようなスピーカは、一般的に周知である。添付図面のうちの図８は、周知のスピーカを示す。このスピーカは、フレーム（１）、膜（２）、及び電磁気駆動ユニット（４）を有する。膜は、円錐体（２ａ）から形成され、平らな外周縁（２ｂ）と平らな内周縁（２ｃ）を有する。駆動ユニットは、固定部（４ａ）と可動部（４ｂ）が設けられる。永久磁石と磁気ヨークを有する固定部は、フレームに固定される。可動部は、音声コイルと円筒コイル支持体（４ｂ１）を有する。膜は、その外周縁において、弾性懸架部（６）によってフレームに接続され、また、その内周縁において、コイル支持体に接着される。コイル支持体は、スパイダ（８）によってフレームに接続される。
【０００３】
上述した周知のスピーカの膜の従来の円錐体は、十分な剛性を得るために特定の高さを有する。膜は、低周波再生のためにはピストンのように動き、また、中及び高周波再生のためには膜の第１の分割（break-up）において又は第１の分割より上で制御された挙動を有することが可能であるよう特定の最小剛性を有するべきである。このために、特定の適用において、浅いスピーカ、即ち、小さい高さを有するスピーカが必要とされる場合にスピーカの性能に関する問題が生じる。
【０００４】
特許文献１は、ダイアフラムの挙動を改善するためにコルゲーション構造を有する僅かに円錐形のダイアフラムが設けられる浅いスピーカを開示する。ダイアフラムは、弾性懸架リングに接着される外周部と、音声コイルボビンに接着される内周部を有する。コルゲーション構造は、外周部に向かって低くなり、内周部に向かって高くなる放射状のコルゲーションによって形成される。この構造によって、外周部は、懸架リングに接着される平らなリング型の外縁を有し、内周部は、ボビンに接着される起伏内縁を有する。スピーカには更に、音声コイルボビンに固定されるスパイダが設けられる。
【０００５】
特許文献１から公知であるスピーカは、僅かに円錐形のダイアフラムの剛性の不足に関連する問題を解決する手段を有するが、それは別の問題を引き起こす。即ち、懸架リングによって形成される懸架手段とスパイダとの間の小さな軸方向距離によるダイアフラムの動作の不安定性に関する問題が引き起こされる。
【特許文献１】特開昭５４−６５２３号
【発明の開示】
【発明が解決しようとする課題】
【０００６】
本発明は、その音性能を劣化することなく且つ使用時に安定した膜動作を有して小さい高さが与えられることが可能であるスピーカを提供することを目的とする。
【課題を解決するための手段】
【０００７】
この目的は、フレームと、膜と、駆動ユニットとが設けられ、膜は、フレームから懸架される外周縁と、内周縁とを有し、駆動ユニットは、フレームに固定される固定部と、膜の内周縁に固定される並進運動可能部を有するスピーカであって、膜は、円周方向に見たときに、膜の内周縁から外周縁の間に半径方向に延在するひだのパターンを有する膜体を有し、ひだは、膜体から駆動ユニットに向かって膜に対して実質的に垂直な方向に見たときに、縁から、内周縁と外周縁との間にある領域に向かって増加する深度を有し、領域内において、ひだにはフェース部が設けられ、フレームとフェース部に固定される懸架手段が設けられる、本発明のスピーカによって達成される。
【０００８】
本発明のスピーカは、ひだ部分には、それ自体は周知であるスパイダといった懸架手段を固定するのに好適な上述の領域が設けられるよう波状にされる膜体が設けられる。この一体にされるひだ部分は、膜の懸架された外周縁に対して、一致する軸方向距離、即ち、膜の動作方向に沿って見たときの距離に位置付けられる。このようにして、本発明のスピーカは、起伏膜の大きいストロークと安定した動作の両方を可能にする。更に、膜のこの特定のコルゲーション構造は、その最高の剛性と軽量によって最高の音響性能を可能にする。
【０００９】
尚、ＥＰ−Ａ９１４０２０は、センタリング膜が固定されるリング型支持素子が設けられる平膜を有するスピーカを開示する。リング型支持素子は、スピーカの駆動ユニットの反対側の平らな膜面に設けられる。この支持素子は、スピーカの中央軸の周りに延在し、また、平膜のタンブルに対抗する働きを有する。このようなリング型支持素子は、本発明のスピーカにおける場合のようにひだのパターンが設けられた膜には好適ではない。
【００１０】
本発明のスピーカの好適な実施例は、内周縁及び外周縁は、実質的に平らな縁であるという特徴を有する。
【００１１】
この実施例によるスピーカは、膜の実質的に平らな円周縁の間に延在する領域内でのみ波状にされる膜が設けられる。これにより、このスピーカは、円周縁が平らである又は少なくとも実質的に平らであり、それにより、膜のフレームとの接続、及び、膜のコイル支持体への固定が、一般的に知られている平膜を取り付けるための従来の方法で行うことが可能であるので、製造するのが容易である。膜の平らな内周縁のコイル支持体への固定は、一般的であるように好適な接着剤によって実現可能である。
【００１２】
尚、「実質的に平ら」という表現は、この文書において、平らである又は事実上平らであるという意味を有する。縁の平坦性におけるずれは、例えばある場合は、ひだの最大深度と比較して小さくなければならない。
【００１３】
本発明のスピーカの膜体に適用されるこの特定のコルゲーション構造によって、膜は、その表面に亘って強固にされ、浅い又は平らな膜として好適であるよう十分な剛性を有する。コルゲーションの度合いは、ひだの形状に依存する。原則的に、ひだは、丸い又は角張った任意の形状を有しうる。ひだのパターンは、円周方向において見たときに例えば一定であるように規則的であることが好適である。
【００１４】
上述したような膜が設けられた浅いスピーカは、最高の音性能を有する。これは、第１の分割における及び第１の分割より上での良好な挙動による。即ち、第１の分割において及び第１の分割より上では、再生音の歪みが殆どないということである。
【００１５】
ひだは、膜体から測定して、膜の実質的に平らな外周縁及び／又は実質的に平らな内周縁に向かって滑らかに減少する深度を有することが好適である。
【００１６】
実用的な実施例では、膜体は、凹体、特に、僅かに凹状の凹体であり、実質的に平らな円周縁及び実質的に平らな外周縁は平行面にある。この場合、膜体は、頂部が平面で切断された僅かに円錐状の円錐体であることが好適である。一般的に、内周縁は円形であり、外周縁は、やや楕円形又は矩形といった異なる形状を有してもよい。
【００１７】
もう１つの実用的な実施例は、膜体は、その内周縁、特に実質的に平らな内周縁と、外周縁、特に実質的に平らな外周縁は、実質的に一致する面又はゾーン内に位置する膜体であるという特徴を有する。
【００１８】
懸架手段、特に、スパイダをひだのフェース部に接着剤によって接着することが実用的である。ひだは、上述したように、膜の内周須知と外周縁との間の領域内に位置付けられる。
【００１９】
膜を、駆動ユニットの可動部、特に、駆動ユニットのコイル支持体に接着することも実用的である。現行の好適な接着剤をこの目的に使用してもよい。
【００２０】
尚、本発明のスピーカは、ハイファイ、家庭、自動車、ＴＶ、及びマルチメディアシステムにおける音再生に適している。特に、非常に小さいビルドイン深度を有する適用に適している。
【００２１】
本発明は更に、請求項１０に記載するような膜に関連する。
【００２２】
請求項に関して、請求項に記載した実施例及び特徴の様々な組合せが本発明の範囲内において可能である。
【発明を実施するための最良の形態】
【００２３】
本発明は、例示的に、図面を参照しながらより詳細に以下に説明する。
【００２４】
図１乃至３に記載するスピーカには、フレーム１０１、膜１０３、及び電磁気駆動ユニット１０５が設けられる。原則的に、膜１０３は、平らな外周縁１０４ａと、平らな内周縁１０４ｂが設けられた平らな膜体１０４を有し、また、放射状のひだ１０４ｃのパターンが設けられる。このパターンは、円周方向に見たときに膜１０４の表面全体に延在する。このひだ１０４ｃは、外周縁１０４ａから、縁１０４ａと縁１０４ｂとの間のリング型ゾーンによって形成される中間領域１０４Ａに向かって、且つ、内周縁１０４ｂからこの領域１０４Ａに向かって増加する深度（ｄ）を有する。従って、最大深度（ｄ）は、領域１０４Ａ内に位置付けられる。ひだ１０４ｃは、領域１０４Ａにおいてフェース部１０４Ｃが設けられる。膜体１０４は、例えば、紙、特に、強化紙から形成されうる。駆動ユニット１０５は、固定部１０６ａと、可動、即ち、並進運動可能部１０６ｂを有する。固定部１０６ａは、フレーム１０１に固定され、永久磁石１０７ａ及び磁気ヨーク１０７ｂを有する磁石系を有し、また、並進運動可能部１０６ｂは、音声コイル１０８ａ及びその上にコイル１０８ａが取り付けられるコイルフォーマ又は支持体１０８ｂを有するコイル系を有する。磁石系及びコイル系は、使用時に、空隙１０９を介して互いと磁気的に協働する。コイル支持体１０８ｂは、周知の接着剤でありうる好適な接着剤によって膜１０４の内周縁１０４ｂに接着される。
【００２５】
膜１０４の外周縁１０４ａは、例えば、ゴム又は発泡体によって形成される、それ自体は周知であるロールカラーといった弾性手段１１３によってフレーム１０１に接続される。
【００２６】
膜１０４は更に、懸架手段、特に、スパイダ１１１によってフレーム１０１に接続される。スパイダ１１１は、好適には接着剤によって、その外側リムにおいてフレーム１０１に固定され、その内側リムにおいてひだ１０４ｃのフェース部１０４Ｃに固定される。図３に示す実施例では、２つのスパイダ１１１を用いている。
【００２７】
平らな膜体ではなく、僅かに円錐状の膜体を、本発明の特徴的な利点を損なうことなく使用してもよい。
【００２８】
図４及び５に示す膜に使用する参照符号は、図１乃至３の実施例の説明に用いた符号と同一である。
【００２９】
図６は、ひだ１０４ｃと膜１０３の形状を示す。膜面全体に規則正しく分配されるひだ１０４ｃは、は、中間領域１０４Ａにおいて、最大深度（ｄ）を有する。
【００３０】
図７に示す変形には、フレーム（２０１）、膜（２０３）、及び駆動ユニット（２０５）が設けられる。膜は、フレーム（２０１）から懸架される平らな外周縁（２０４ａ）と、平らな内周縁（２０４ｂ）を有する。駆動ユニット（２０５）は、フレーム（２０１）に固定される固定部（２０６ａ）と、膜（２０３）の内周縁（２０４ｂ）に固定されるコイル支持体（２０８ｂ）が設けられる並進運動可能部（２０６ｂ）を有する。膜（２０３）は、僅かに円錐形の膜体（２０４）を有し、それにより、外周縁（２０４ａ）及び内周縁（２０４ｂ）は、同一平面内ではなく、平行面内に位置付けられる。内周方向において見るに、膜体（２０４）は、膜の内周縁（２０４ｂ）と外周縁（２０４ａ）との間に半径方向に延在するひだ（１０４ｃ）のパターンを有する。膜体（２０４）から駆動ユニット（２０５）に向けて、膜（２０３）に対し垂直な方向において見たときに、ひだ（１０４ｃ）は、深度（Ｄ）を有し、これは、縁（２０６ａ、２０６ｂ）から両方の縁（２０６ａ、２０６ｂ）間に位置付けられる中間領域（２０４Ａ）に向かって増加する。この領域（２０４Ａ）において、ひだ、又は、少なくとも幾つかのひだには、フェース部（２０４Ｃ）が設けられる。膜（２０３）は、それ自体は周知である弾性リング型素子（２１３）である第１の懸架手段とそれ自体は周知であるいわゆるスパイダ（２１１）である第２の懸架手段によってフレーム（２０１）から懸架される。リング型素子（２１３）は、膜（２０３）の外周縁（２０４ａ）と、フレーム（２０１）の縁部分に固定される。スパイダ（２１１）は、膜体（２０４）のフェース部（２０４Ｃ）とフレーム（２０１）の別の部分に固定される。
【００３１】
尚、開示した実施例は、例示に過ぎない。本発明の範囲において、実施例の様々な異なる特徴を組み合わせて本発明のスピーカを構築することが可能である。更に、本発明の範囲において、与えた例に変化を加えることが可能である。例えば、ひだの規則的なパターンは、所望される場合には、不規則なパターンによって置き換えられるか、又は、起伏する内縁及び／又は外縁を適用しうる。
【図面の簡単な説明】
【００３２】
【図１】本発明のスピーカの実施例を示す断面図である。
【図２】本発明のスピーカの実施例を示す断面図である。
【図３】本発明のスピーカの実施例を示す断面図である。
【図４】図１に示す膜を示す平面図である。
【図５】図１に示す膜の断面図である。
【図６】図１に示す実施例の膜のひだ分配を示す図である。
【図７】本発明のスピーカの更なる実施例を示す断面図である。
【図８】従来のスピーカを示す図である。
【図１】
2007502044.tif 000003
【図２】
2007502044.tif 000004
【図３】
2007502044.tif 000005
【図４】
2007502044.tif 000006
【図５】
2007502044.tif 000007
【図６】
2007502044.tif 000008
【図７】
2007502044.tif 000009
【図８】
2007502044.tif 000010
【国際調査報告】
2007502044.tif 000011
2007502044.tif 000012
2007502044.tif 000013